(57)【要約】      （修正有）【課題】言語切り替えキーで第一言語、及び、第二言語の入力を切り替えることができキーボードを提供する。【解決手段】言語切り替え表示が可能なキーボードに関り、若干の文字入力キー、若干の数字入力キー、若干のコントロールキー、少なくとも１つのファンクションキー、及び、少なくとも１つの言語切り替えキーを具備し、該言語切り替えキーで第一言語、及び、第二言語の入力を切り替えることができ、更に一歩進んで該キーボードが該第一言語、或いは、該第二言語に切り替えられたことを表示できる少なくとも１つの表示ランプを具えることを特徴とする。【選択図】図１
0003122046.tif 000002
【実用新案登録請求の範囲】
【請求項１】
言語切り替え表示が可能なキーボードにおいて、若干の文字入力キー、若干の数字入力キー、若干のコントロールキー、少なくとも１つのファンクションキー、及び、少なくとも１つの言語切り替えキーを具備し、該言語切り替えキーで第一言語、及び、第二言語の入力を切り替えることができ、更に一歩進んで該キーボードが該第一言語、或いは、該第二言語に切り替えられたことを表示できる少なくとも１つの表示ランプを具えることを特徴とする、言語切り替え表示が可能なキーボード。 
【請求項２】
請求項１記載の言語切り替え表示が可能なキーボードにおいて、該第一言語が英語で、該第二言語が韓国語で、且つ、該言語切り替えキー上にＫＯＲ１の文字を具えることを特徴とする、言語切り替え表示が可能なキーボード。
【請求項３】
請求項１記載の言語切り替え表示が可能なキーボードにおいて、該第一言語が英語で、該第二言語が日本語で、且つ、該言語切り替えキー上に半角/全角の文字を具備し、且つ、Ｃａｐｓ Ｌｏｃｋコントロールキーと組み合わせ操作が必要であることを特徴とする、言語切り替え表示が可能なキーボード。
【請求項４】
請求項１記載の言語切り替え表示が可能なキーボードにおいて、該表示ランプはＬＥＤで、且つ、該言語切り替えキーの数量が該表示ランプの数量に相当することを特徴とする、言語切り替え表示が可能なキーボード。
【請求項５】
請求項１記載の言語切り替え表示が可能なキーボードにおいて、スピーカの音量、或いは、音質を制御するため、更に一歩進んでＢａｓｓ Ｂｏｏｓｔキー、Ｌｏｕｄｎｅｓｓキー、Ｂａｓｓ Ｕｐキー、Ｂａｓｓ Ｄｏｗｎキー、Ｔｒｅｍｂｌｅ ｕｐキー、及び、Ｔｒｅｍｂｌｅ Ｄｏｗｎキーを含む若干の音源コントロールキーを具備することを特徴とする、言語切り替え表示が可能なキーボード。
【考案の詳細な説明】
【技術分野】
【０００１】
本考案は、キーボードに関り、特に表示ランプを具備し、該キーボードが該第一言語或いは該第二言語に切り替えられたことを表示できる言語切り替え表示が可能なキーボードに関する。
【背景技術】
【０００２】
従来のキーボードは、使用者が英語、中国語、日本語或いは韓国語等の文字を入力するため、通常若干の文字入力キー(英語Ａ〜Ｚ)、若干の数字入力キー(０〜９)、若干のコントロールキー(Ｓｈｉｆｔ、 Ｃａｐｓ Ｌｏｃｋ、 Ｃｔｒｌ、 Ａｌｔ、 Ｔａｂ、 Ｂａｃｋｓｐａｃｅ等)、少なくとも１つのファンクションキー(Ｆ１〜Ｆ１２)及び少なくとも１つの言語切り替えキー(例えば発音文字入力方式のＳｈｉｆｔキー、韓国語のＫＯＲ１キー及び日本語の半角/全角キー)等を具備する。しかし上記構造のキーボードにおいて、使用者が例えば中国語、日本語或いは韓国語のような英語以外の言語を入力する時、まず該言語切り替えキーを押して言語を切り替えてから入力する。しかし使用者は、キーボード上においてキーボードの切り替えモード及び状態を知ることができず、ディプレイ上でしか確認できないなどの欠点を有する。
【０００３】
その他、現在のマルチメディアのコンピュータに外部接続するスピーカの音量、音質等は、均しくスピーカ或いはコンピュータ上で制御をしなければならないため、使用上非常に不便なものとなっている。
【考案の開示】
【考案が解決しようとする課題】
【０００４】
上記の従来の欠点を解決するため、本考案の主要な目的は、言語切り替え表示が可能なキーボードを提供することで、該キーボードが該第一言語或いは該第二言語に切り替えられたことを表示できる表示ランプを具備することにある。
【０００５】
上記の従来の欠点を解決するため、本考案の別の目的は、言語切り替え表示が可能なキーボードを提供し、スピーカの音量或いは音質を制御するための若干の音源コントロールキーを具備することにある。
【課題を解決するための手段】
【０００６】
上記の目的を達成するため、本考案の言語切り替え表示が可能なキーボードには、若干の文字入力キー、若干の数字入力キー、若干のコントロールキー、少なくとも１つのファンクションキー及び少なくとも１つの言語切り替えキーを具備し、該言語切り替えキーで第一言語及び第二言語の入力を切り替えることができ、更に一歩進んで該キーボードが該第一言語或いは該第二言語に切り替えられたことを表示できる少なくとも１つの表示ランプを具えることを特徴とする。
【実施例】
【０００７】
図１を見ると、本考案の好ましい実施例である言語切り替え表示が可能なキーボードの押キーの配置を示した見取図である。図を見ると、本考案の言語切り替え表示が可能なキーボード１には、若干の文字入力キー１０、若干の数字入力キー２０、若干のコントロールキー３０、少なくとも１つのファンクションキー４０、少なくとも１つの言語切り替えキー５０及び少なくとも１つの表示ランプ６０の組み合わせを含んでなる。
【０００８】
該文字入力キー１０は、少なくとも英語A〜Zキーを含み、該数字入力キー２０には少なくとも数字０〜９キーを含み、該コントロールキー３０は少なくともＳｈｉｆｔ、Ｃａｐｓ Ｌｏｃｋ、Ｃｔｒｌ、Ａｌｔ、Ｔａｂ、Ｂａｃｋｓｐａｃｅ等のキーを含み、該ファンクションキー４０は少なくともＦ１〜Ｆ１２等のキーを含み、これらは従来のキーボード技術であり且つ本考案の重点でないため、ここでは詳述しない。
【０００９】
該言語切り替えキー５０は、第一言語及び第二言語の入力を切り替えに用い、該第一言語を英語で、該第二言語を韓国語とし、或いは該第一言語を英語で、該第二言語を日本語とすることできる。
【００１０】
該表示ランプ６０が発光ダイオード(ＬＥＤ)で、その数量は該言語切り替えキー５０の数量と相当で且つ該キーボード１のカバー体(図には未表示)から露出し、該言語切り替えキー５０による切り替えと組み合わせで該キーボード１のモード及び状態を示すことができる。例えば、韓国語のＫＯＲ１キーを例にとると、該キーボード１が韓国語キーボードとなった場合、使用者が英語及び韓国語の入力に切り替えるため、ＫＯＲ１キー５１を具備し、使用者が英語で入力する時、直接文字入力キー１０、数字入力キー２０及びコントロールキー３０等で入力でき、この際、該表示ランプ６０がクローズ(即ち消灯)状態となり、使用者が韓国語で入力したい時、ＫＯＲ１キー５１を押して、文字入力キー１０、数字入力キー２０及びコントロールキー３０等で入力でき、この際、該表示ランプ６０がオープン(即ち点灯)状態となる。本考案のキーボード１を介し、使用者は該表示ランプ６０の点灯或いは消灯によって該キーボード１のモード及び状態を知ることができるため顔を上げてディスプレイ見て確認する必要がない。これにより、本考案のキーボード１は確実に従来のキーボードの欠点を改善している。
【００１１】
該キーボード１が日本語キーボードとなる場合、使用者が英語及び日本語の入力を切り替えるため、半角/全角キー５２を具え、使用者が英語入力を入力する時、直接文字入力キー１０、数字入力キー２０及びコントロールキー３０等で英語を入力でき、この際、該表示ランプ６０がクローズ(即ち消灯)状態となり、使用者が日本語で入力したい時、半角/全角キー５２及びＣａｐｓ Ｌｏｃｋコントロールキー３０を押して、文字入力キー１０、数字入力キー２０及びコントロールキー３０等で日本語を入力でき、この際、該表示ランプ６０がオープン(即ち点灯)状態となる。本考案のキーボード１を介して、使用者は該表示ランプ６０の点灯或いは消灯によって該キーボード１のモード及び状態を知ることができるため顔を上げてディスプレイ見て確認する必要がない。これにより、本考案のキーボード１は確実に従来のキーボードの欠点を改善している。該キーボード１が韓国語/日本語キーボードとなる場合、使用者が英語及び日本語の入力に切り替えるため、ＫＯＲ１キー５１及び半角/全角キー５２を具備し、且つそれぞれ該ＫＯＲ１キー５１及び半角/全角キー５２のモード及び状態を表示するための２個の表示ランプ６０も具える。
【００１２】
その他、本考案のキーボード１に更に一歩進んで、スピーカ(図に未表示)の音量或いは音質を制御するための若干の音源コントロールキー７０を具備する。該音源コントロールキー７０には更に一歩進んで、Ｂａｓｓ Ｂｏｏｓｔキー７１、Ｌｏｕｄｎｅｓｓキー７２、Ｂａｓｓ ｕｐキー７３、Ｂａｓｓ Ｄｏｗｎキー７４、Ｔｒｅｍｂｌｅ ｕｐキー７５及びＴｒｅｍｂｌｅ Ｄｏｗｎキー７６等を含む。これにより上記の音源コントロールキー７０を介して直接キーボード１上において該スピーカの音量或いは音質を制御することができるため、本考案のキーボード１は確実に従来のキーボードの欠点を改善している。
【００１３】
図２を見ると、本考案の文字入力キー１０、数字入力キー２０、コントロールキー３０、ファンクションキー４０及び言語切り替えキー５０のマトリクス配置を示した見取図である。図に示すように、本考案のキーボード１の若干の文字入力キー１０、若干の数字入力キー２０、若干のコントロールキー３０及び少なくとも１つのファンクションキー４０は、一般的なキーボードのマトリクス配置と相似しているが、更に一歩進んで例えばＫＯＲ１キー５１或いは半角/全角キー５２のような少なくとも１つの言語切り替えキー５０を含み、該表示ランプ６０と組み合わせることで該キーボード１のモード及び状態を表示できる。その他、本考案のキーボード１は該半角/全角キー５２の側に更に一歩進んでスピーカ(図に未表示)の音量或いは音質を制御するための若干の音源コントロールキー７０を含む。該音源コントロールキー７０は更に一歩進んでＢａｓｓ Ｂｏｏｓｔキー７１、Ｌｏｕｄｎｅｓｓキー７２、Ｂａｓｓ ｕｐキー７３、Ｂａｓｓ Ｄｏｗｎキー７４、Ｔｒｅｍｂｌｅ ｕｐキー７５及びＴｒｅｍｂｌｅ Ｄｏｗｎキー７６等を含み、これにより上記の音源コントロールキー７０を介することで直接キーボード１上において該スピーカの音量或いは音質を制御できる。
【００１４】
上記をまとめると、本考案の言語切り替え表示が可能なキーボードは、表示ランプを具備することで、該キーボードが該第一言語或いは該第二言語に切り替えられたことを表示でき、また若干の音源コントロールキーを具えることで、スピーカの音量或いは音質を制御できるなどの長所を備えているため、確実に従来のキーボードの欠点を改善している。
【００１５】
本考案に開示したものは、好ましい実施例であり、各種局部的な改変或いは修飾について、本考案の技術的思想に基づき、当該技術を熟知する者が、容易に推察できるものも本考案の実用新案登録請求の範囲に属するものとする。
【００１６】
上記をまとめると、本考案は目的、手段と効果について、従来の技術特徴とは異なり実用新案権登録の法定要件を満たしているので法律に則ってここに申請する。審査委員の皆様の詳細なる審査を受け、一日も早く登録していただくよう切に願います。 
【図面の簡単な説明】
【００１７】
【図１】本考案の好ましい実施例である言語切り替え表示が可能なキーボードの押キー配置を示した見取図である。
【図２】本考案の文字入力キー１０、数字入力キー２０、コントロールキー３０、ファンクションキー４０及び言語切り替えキー５０のマトリクス配置を示した見取図である。
【符号の説明】
【００１８】
１ キーボード
１０ 文字入力キー
２０ 数字入力キー
３０ コントロールキー
４０ ファンクションキー
５０ 言語切り替えキー
５１ ＫＯＲ１キー
５２ 半角/全角キー
６０ 表示ランプ
７０ 音源コントロールキー
７１ Ｂａｓｓ Ｂｏｏｓｔキー
７２ Ｌｏｕｄｎｅｓｓキー
７３ Ｂａｓｓ ｕｐキー
７４ Ｂａｓｓ Ｄｏｗｎキー
７５ Ｔｒｅｍｂｌｅ ｕｐキー
７６ Ｔｒｅｍｂｌｅ Ｄｏｗｎキー
【図１】
0003122046.tif 000003
【図２】
0003122046.tif 000004